(57)【要約】【課題】ころ同士の接触を回避し、ポケット内への供給油量を確保し、油潤滑性を向上させるとともに保持器強度を確保したラジアルころ軸受を得ることを目的とする。【解決手段】外輪２と、この外輪２と内輪としての軸１との間に配設された複数個の針状ころ３と、これらの針状ころ３を外輪２の円周方向に沿って所定間隔に保持する円筒状の保持器４とを備え、保持器４は２つのリング状のフランジ部４ａと、２つのリング状のフランジ部４ａ間に平行に配置され、２つのリング状のフランジ部４ａの外周部を略直線上に連結する複数の柱部４ｂを有し、各柱部４ｂは、その軸方向中央部を内径方向に下げ、これら複数の針状ころ３同士の間隔を０．１ｍｍから０．５ｍｍとするようにしたものである。【選択図】図１
2009156337.tif 000002
【特許請求の範囲】
【請求項１】
外輪と、この外輪と内輪との間に配設された複数個のころと、これらのころを外輪の円周方向に沿って所定間隔に保持する円筒状の保持器とを備えたラジアルころ軸受において、
前記保持器は対向配置した２つのリング状のフランジ部と、２つのリング状のフランジ部間に平行に配置され、２つのリング状のフランジ部の外周部を略直線上に連結する複数の柱部を有し、各柱部はその軸方向中央部を内径方向に下げ、前記複数のころ同士の間隔を０．１ｍｍから０．５ｍｍとしたことを特徴とするころ軸受。
【請求項２】
前記ころの半径をＡ、柱幅をＢ、下げ量をＣとし、前記ころの軸方向垂直断面で隣り合ったころの回転中心点同士を繋いだ線と、前記回転中心点ところと柱部の接触点とを繋いだ線とのなす角度をθとし、
３０°≦θ≦６０°とした場合に、
下げ量Ｃが次式によって定まる
Ｃ＝Ａ（１−ｓｉｎθ）
ことを特徴とする請求項１記載のころ軸受。
【発明の詳細な説明】
【技術分野】
【０００１】
本発明は自動車用変速機、産業機械などに使用されるラジアルころ軸受に関するものである。
【背景技術】
【０００２】
自動車用や産業機械用でのコンパクト性の要求に伴い、ラジアルころ軸受でも同一サイズで負荷容量をアップする要求が多くなっている。
このような要求に答える従来の一のラジアルころ軸受としては、保持器の一つのポケットに２個のころを入れるものがあった。
また、他のラジアルころ軸受としては、保持器のストレート形状の柱がころの回転軸線より半径方向外方に設け、内径側ころ止めをなくしてころ間の円周方向距離を短縮してころの本数を多くしたものがあった（例えば、特許文献１参照）。
【特許文献１】特開２０００−５５１４５号公報（第１頁、図３）
【発明の開示】
【発明が解決しようとする課題】
【０００３】
しかしながら、従来の一のラジアルころ軸受で、保持器の一つのポケットに２個のころを入れる場合には、２個のころ同士の接触による摩擦や摩耗が懸念となり、回転が制約されるという問題があった。
また、従来のもう一つのラジアルころ軸受で、保持器のストレート形状の柱がころの回転軸線より半径方向外方に設け、内径側ころ止めをなくしてころ間の円周方向距離を短縮してころの本数を多くしたものでは、軸方向中央部段付きの柱と比較するところと柱の摺動部の油溜まりがなく、潤滑性の点で不利になり、高速化は制約される。
さらに、ストレート形状の柱がころの回転軸線より半径方向外方に位置することにより、外径面からのポケット内への油供給性が悪化するという問題もあった。
また、ころの本数を多くしたことにより、柱幅が小さくなって保持器強度が低下するものであった。
本発明はこのような問題点に着目してなされたもので、ころ同士の接触を回避し、ポケット内への供給油量を確保し、油潤滑性を向上させるとともに保持器強度を確保したラジアルころ軸受を得ることを目的とする。
【課題を解決するための手段】
【０００４】
本発明に係るラジアルころ軸受は、外輪と、この外輪と内輪との間に配設された複数個のころと、これらのころを外輪の円周方向に沿って所定間隔に保持する円筒状の保持器とを備えたラジアルころ軸受において、前記保持器は対向配置した２つのリング状のフランジ部と、２つのリング状のフランジ部間に平行に配置され、２つのリング状のフランジ部の外周部を略直線上に連結する複数の柱部を有し、各柱部はその軸方向中央部を内径方向に下げ、前記複数のころ同士の間隔を０．１ｍｍから０．５ｍｍとしたものである。
【発明の効果】
【０００５】
本発明に係るラジアルころ軸受においては、外輪と、この外輪と内輪との間に配設された複数個のころと、これらのころを外輪の円周方向に沿って所定間隔に保持する円筒状の保持器とを備え、保持器は対向配置した２つのリング状のフランジ部と、２つのリング状のフランジ部間に平行に配置され、２つのリング状のフランジ部の外周部を略直線上に連結する複数の柱部を有し、各柱部はその軸方向中央部を内径方向に下げ、前記複数のころ同士の間隔を０．１ｍｍから０．５ｍｍとするようにしたので、高負荷容量のままで、ころ同士の接触を回避し、外輪の内周面と柱部の内径方向に下げられた軸方向中央部との間に潤滑油の流路が確保され、ポケット内への油潤滑性も向上させることができるという効果がある。
【発明を実施するための最良の形態】
【０００６】
実施の形態１．
以下、本発明の実施の形態を図面に基づいて説明する。
図１は本発明の実施の形態１に係るラジアルころ軸受の断面図、図２は同ラジアルころ軸受の保持器の径方向半分を示す断面図、図３は図２のIII−III線断面図、図４は同ラジアルころ軸受の保持器のポケット部を示す説明図、図５は同ラジアルころ軸受のころと保持器との関係を示す説明図である。
本発明の実施の形態１に係るラジアルころ軸受は、例えば鋼材からなる内輪としての軸１の外周に設けられた例えば鋼材よりなる外輪２と、この外輪２と軸１との間に配設された鋼やセラミックス等からなる複数個のころとしての針状ころ３と、これらの針状ころ３を外輪２の円周方向に沿って所定のほぼ等間隔に保持する円筒状の保持器４とから構成されている。
【０００７】
保持器４は例えば鋼板や樹脂等で形成され、対向配置した２つのリング状の薄板円板であるフランジ部４ａと、２つのリング状のフランジ部４ａ間に平行に配置され、２つのリング状のフランジ部４ａの外周部を略直線上に連結する複数の柱部４ｂを有する。各柱部４ｂは、その軸方向中央部が内径方向に下がっている。これら柱部４ｂの間に針状ころ３を保持するポケット５が形成されている。
【０００８】
また、保持器４の各柱部４ｂの軸方向中央部の内径方向の下げ量は次のように定められる。
図５に示すように、針状ころ３の半径をＡ、柱部４ｂの周方向の柱幅をＢ、柱部４ｂの軸方向中央部の内径方向の下げ量（以下、「下げ量」という）をＣとし、針状ころ３の軸方向垂直断面で隣り合った針状ころ３の回転中心点同士を繋いだ線と、前記回転中心点と針状ころ３と柱部４ｂの接触点とを繋いだ線とのなす角度をθとし、３０°≦θ≦６０°とした場合に、下げ量Ｃが次式によって定まる。
Ｃ＝Ａ（１−ｓｉｎθ）
このように下げ量Ｃを式によって求めるようにしたのは、上記３０°〜６０°の範囲にある角度θに合わせて最適な下げ量Ｃを求めることができるからである。
【０００９】
さらに、ポケット５に保持され、隣り合う針状ころ３同士の間隔は０．１ｍｍから０．５ｍｍが望ましいとされている。
隣り合う針状ころ３同士の間隔を、少なくとも０．１ｍｍ以上は、次式によって求めることができる。
０．１≦Ｂ−２（Ｃ／（１−ｓｉｎθ））（１−ｃｏｓθ）
この場合も、隣り合う針状ころ３同士の間隔を、少なくとも０．１ｍｍ以上として式によって求めるようにしたのは、下げ量Ｃが決まれば、簡単に求めることができるからである。
【００１０】
以上のように、この実施の形態１によれば、外輪２と、この外輪２と内輪としての軸１との間に配設された複数個の針状ころ３と、これらの針状ころ３を外輪２の円周方向に沿って所定間隔に保持する円筒状の保持器４とを備え、保持器４は対向配置した２つのリング状のフランジ部４ａと、２つのリング状のフランジ部４ａ間に平行に配置され、２つのリング状のフランジ部４ａの外周部を略直線上に連結する複数の柱部４ｂを有し、各柱部４ｂはその軸方向中央部を内径方向に下げ、これら複数の針状ころ３同士の間隔を０．１ｍｍから０．５ｍｍとするようにしたので、高負荷容量のままで、針状ころ３同士の接触を回避し、外輪２の内周面と柱部４ｂの内径方向に下げられた軸方向中央部との間に潤滑油の流路が確保され、ポケット５内への油の流動が確保できて潤滑性も向上させることができる。
【００１１】
実施の形態２．
図６は本発明の実施の形態２に係るラジアルころ軸受のポケット部を示す説明図である。
この実施の形態２は、保持器４のポケット５の形状が実施の形態１と異なるもので、他の構成は実施の形態１と同様である。
この実施の形態２では、ポケット５の軸方向両端部の幅を小さくし、ポケット５の軸方向中央部で針状ころ３を保持し、柱部４ｂの両端部の周方向幅を大きくして柱部４ｂの強度をアップさせたものである。
【００１２】
なお、上述した実施の形態１では、外輪２をプレスにて成型したシェルタイプのラジアル保持器に本発明を適用したが、例えば外輪２を削り加工にて成形したソリッドタイプのラジアルころ軸受についても本発明を適用できる。
上述した実施の形態１では、内輪を軸１としたタイプのラジアルころ軸受に本発明を適用した場合を説明したが、軸１とは別の内輪を有するタイプのラジアルころ軸受についても本発明を適用できることは勿論である。また、ラジアルころ軸受としてのころは針状ころ３ではなく通常のころにも適用可能である。
【図面の簡単な説明】
【００１３】
【図１】本発明の実施の形態１に係るラジアルころ軸受の断面図。
【図２】同ラジアルころ軸受の保持器の径方向半分を示す断面図。
【図３】図２のIII−III線断面図。
【図４】同ラジアルころ軸受の保持器のポケット部を示す説明図。
【図５】同ラジアルころ軸受のころと保持器との関係を示す説明図。
【図６】本発明の実施の形態２に係るラジアルころ軸受のポケット部を示す説明図。
【符号の説明】
【００１４】
１  軸、２  外輪、３  ころ、４  保持器、４ａ  フランジ部、４ｂ  柱部、５
ポケット。
【図１】
2009156337.tif 000003
【図２】
2009156337.tif 000004
【図３】
2009156337.tif 000005
【図４】
2009156337.tif 000006
【図５】
2009156337.tif 000007
【図６】
2009156337.tif 000008